(57)【要約】【課題】ケーブルに比較的大きな力が加わることを抑えて、ケーブルを良好に保護できるケーブル収納什器を提供する。【解決手段】収納什器３は、ケーブル収納部３６、ケーブル受け部材６、及びケーブル保護部材８を備える。ケーブル収納部３６の内部３６ｂにケーブルＣが収納される。ケーブルＣは、ケーブル収納部３６の内部３６ｂから天板２１まで一端が取り出される。また、ケーブル収納部３６の内部３６ｂにケーブル受け部材６が上方に移動可能に配置される。ケーブル保護部材８は、天板２１の上下方向への移動に追従して変形可能に形成されている。ケーブル保護部材８の一端８ａが天板２１に連結され、ケーブル保護部材８の他端８ｃがケーブル受け部材６に連結される。【選択図】図６
2018068958.tif 000002
【特許請求の範囲】
【請求項１】
内部に設置されたケーブルを上面から取り出し可能なケーブル収納什器であって、
前記ケーブル収納什器の上方において上下方向に移動する移動部まで一端が取り出されたケーブルが内部に収納されるケーブル収納部と、
前記ケーブル収納部の内部で上方に移動可能に配置され、前記ケーブルを支えるケーブル受け部材と、
前記移動部の上下方向への移動に追従して変形可能に形成され、一端が前記移動部に連結され、かつ、他端が前記ケーブル受け部材に連結され、前記ケーブルを保護するケーブル保護部材と、
を備えることを特徴とするケーブル収納什器。
【請求項２】
前記ケーブル受け部材は、平面視において前記ケーブル保護部材の一端に近い側の端部に、前記ケーブル保護部材の他端が連結されていることを特徴とする請求項１に記載のケーブル収納什器。
【請求項３】
前記ケーブル受け部材の両側部を保持する一対の保持部材を備えることを特徴とする請求項１又は請求項２に記載のケーブル収納什器。
【請求項４】
前記移動部は、電動昇降式のテーブルの天板であることを特徴とする請求項１〜３のいずれか１項に記載のケーブル収納什器。
【発明の詳細な説明】
【技術分野】
【０００１】
本発明は、ケーブル収納什器に関する。
【背景技術】
【０００２】
テーブルの天板の下方に備えられ、天板まで取り出されるケーブルが収納されるケーブル収納什器が知られている。ケーブル収納什器は、ケーブルを内部に収納するケーブル収納部と、ケーブルを保護するサポート部材（以下、ケーブル保護部材という）とを備えている（例えば、特許文献１参照）。
ケーブル保護部材は、天板の上下方向の移動に追従して変形可能に形成されている。具体的には、ケーブル保護部材は、ケーブル収納部の上面を貫通して内部に配置されている。
【０００３】
ケーブル保護部材の一端が天板に連結されている。また、ケーブル保護部材の他端が取付け部材に連結されている。取付け部材は、ケーブル収納部の内部に固定されている。ケーブル保護部材の内部にはケーブルが配索されている。天板が上方に移動するとき、ケーブル保護部材の一端側が上方に引っ張られる。ケーブル保護部材が上方への引張力により変形することにより、天板が上方へ持ち上げられる。これに伴ってケーブルの一端側も持ち上げられる。
【先行技術文献】
【特許文献】
【０００４】
【特許文献１】特開平８-１４９６５１号公報
【発明の概要】
【発明が解決しようとする課題】
【０００５】
しかし、ケーブル保護部材は、ケーブルの撚れや粉塵のかみ込により変形し難くなることが考えられる。この状態において、天板が上方に移動するとき、ケーブル保護部材の一端側が上方に引っ張られる。ケーブル保護部材が変形し難いため、ケーブル保護部材全体が上方に引っ張られる。ケーブル保護部材全体が上方に引っ張られることにより、ケーブルに比較的大きな力が加わることが考えらえる。
【０００６】
本発明は、このような従来の課題に鑑みてなされたものであり、ケーブルに比較的大きな力が加わることを抑えて、ケーブルを良好に保護できるケーブル収納什器を提供することを目的とする。
【課題を解決するための手段】
【０００７】
本発明のケーブル収納什器は、内部に設置されたケーブルを上面から取り出し可能なケーブル収納什器であって、前記ケーブル収納什器の上方において上下方向に移動する移動部まで一端が取り出されたケーブルが内部に収納されるケーブル収納部と、前記ケーブル収納部の内部で上方に移動可能に配置され、前記ケーブルを支えるケーブル受け部材と、前記移動部の上下方向への移動に追従して変形可能に形成され、一端が前記移動部に連結され、かつ、他端が前記ケーブル受け部材に連結され、前記ケーブルを保護するケーブル保護部材と、を備えることを特徴とする。
【０００８】
ここで、ケーブル保護部材が移動部の上方への移動に追従して変形し難くなることが考えられる。この場合、移動部が上方に移動してケーブル保護部材の全体が上方に引っ張られる。このため、ケーブルに比較的大きな力がかかる虞がある。
そこで、ケーブル受け部材を上方に移動可能に配置した。ケーブル保護部材が変形し難くなった場合に、ケーブル保護部材と一緒にケーブル受け部材を持ち上げることができる。これに伴いケーブルも持ち上げることができる。これにより、ケーブルに比較的大きな力が加わることを抑えることができ、ケーブルを良好に保護できる。
【０００９】
本発明のケーブル収納什器では、前記ケーブル受け部材は、平面視において前記ケーブル保護部材の一端に近い側の端部に、前記ケーブル保護部材の他端が連結されていることが好ましい。
これにより、移動部が上方に移動するときに、移動部がケーブル保護部材を引っ張る力がケーブル受け部材に迅速に伝えることができる。
また、ケーブル保護部材の他端にケーブル受け部材の端部が連結されている。よって、ケーブル受け部材の全体を持ち上げる必要がない。これにより、ケーブル受け部材の端部を、ケーブル保護部材の他端に追従させて小さな力で持ち上げることができる。
よって、ケーブル保護部材とケーブル受け部材とを迅速に持ち上げることができる。これに伴いケーブルも迅速に持ち上げることができる。これにより、ケーブルに比較的大きな力が加わることを抑えることができ、ケーブルを一層良好に保護できる。
【００１０】
本発明のケーブル収納什器では、前記ケーブル受け部材の両側部を保持する一対の保持部材を備えることが好ましい。
これにより、ケーブル受け部材を安定して配置できる。よって、ケーブル受け部材を安定支持したまま持ち上げることができる。これに伴いケーブルも円滑に持ち上げられることができる。したがって、ケーブルに比較的大きな力が加わることを良好に抑えることができ、ケーブルを一層良好に保護できる。
【００１１】
本発明のケーブル収納什器では、前記移動部は、電動昇降式のテーブルの天板でも良い。
これにより、ケーブル保護部材が変形し難くなった状態において、天板が上方に移動するとき、ケーブル受け部材をケーブル保護部材と一緒に持ち上げることができる。これに伴いケーブルも持ち上げることができる。よって、ケーブルに比較的大きな力が加わることを良好に抑えることができ、ケーブルを一層良好に保護できる。これにより、テーブルの使い勝手を高めることができる。
【発明の効果】
【００１２】
本発明のケーブル収納什器によれば、ケーブル受け部材を上方に移動可能に配置することにより、ケーブル保護部材が変形し難くなった場合に、ケーブル保護部材と一緒にケーブル受け部材を持ち上げることができる。これにより、ケーブルに比較的大きな力が加わることを抑えて、ケーブルを良好に保護できる。
【図面の簡単な説明】
【００１３】
【図１】本発明の第１の実施形態に係るテーブル装置を示す斜視図である。
【図２】図１のテーブル装置の物品収納部を背面側（右側）から視た状態を示す斜視図である。
【図３】図２の右脚部の取付状態を示す斜視図である。
【図４】図２のＡ部を示す斜視図である。
【図５】図４のスペーサを右脚部側から視た状態を示す斜視図である。
【図６】図２のケーブル収納部の内部を示す斜視図である。
【図７】図６のケーブル受け部材が一対の保持部材に保持された状態を示す断面図である。
【図８】本発明の第１の実施形態に係るテーブル装置において天板の上方への移動に合わせてケーブル保護部材が円滑に作動する状態を説明する概略図である。
【図９】本発明の第１の実施形態に係るテーブル装置において天板の上方への移動に合わせてケーブル保護部材が円滑に作動し難い状態を説明する概略図である。
【図１０】本発明の第２の実施形態のテーブル装置を示す斜視図である。
【発明を実施するための形態】
【００１４】
次に、本発明の実施形態を図面に基づいて説明する。なお、以下の説明では、略同じまたは類似の機能を有する構成に同一の符号を付す。そして、それらの重複する説明は省略する場合がある。また、天板２１の使用者側を後、天板２１の使用者から離れる側を前、使用者の左側を左、使用者の右側を右として説明する。
【００１５】
（第１の実施形態）
本発明の第１の実施形態のテーブル装置１を図１〜図７を参照にして説明する。
図１は、第１の実施形態に係るテーブル装置１を示す斜視図である。テーブル装置１は、部屋の床面Ｆに設置されている。具体的には、テーブル装置１は、テーブル２と、収納什器３とを備えている。
テーブル２は、電動昇降式のテーブルである。テーブル２は、天板２１と、一対の脚部２２，２３とを備えている。天板２１は、矩形の平板状に形成されている。天板２１の上面には、コンセントが設けられている。コンセントには、電源に接続したケーブルの一端が接続している。コンセントの差し込み口には、パソコンＰ等の電気機器の電源コードのプラグが差し込まれる。
【００１６】
一対の脚部２２，２３は、上端部が天板２１の左右側に取り付けられている。一対の脚部２２，２３は、横断面矩形に形成された多重管からなる支柱である。多重管とは、複数の管２５〜２７を入れ子にして構成された管をいう。複数の管２５〜２７は、横断面の形状が矩形である。なお、複数の管２５〜２７の横断面の形状は、矩形の他に、円形、楕円形、多角形等、様々な形状が可能である。
【００１７】
複数の管２５〜２７は電動により上下に伸縮するように構成されている。これにより一対の脚部２２，２３は上下に伸縮する。テーブル２は、一対の脚部２２，２３が上下に伸縮することにより天板２１が昇降する。
なお、図２〜図９においては、構成の理解を容易にするために、右脚部２３から複数の管２５〜２７を省略して説明する。
【００１８】
左脚部２２は、床面Ｆに接地されている。具体的に説明すると、左脚部２２の外側の管２５の下端には、ベース部２４が結合されている。ベース部２４は、天板２１の前後方向に延びている。ベース部２４は、床面Ｆに接地されている。右脚部２３（一方の脚部）の下端部は、収納什器３に固定されている。この固定構造については後述する。
収納什器３は、テーブル２の右側に配置されて床面Ｆに設置されている。収納什器３は、物品収納棚３１、複数の物品収納部３２、３３等を備えている。物品収納棚３１は、本や置物等の物品を収納するものである。
【００１９】
複数の物品収納部３２、３３は、前後方向に並列して床面Ｆに設置されている。複数の物品収納部３２、３３は、引き出し式のものである。複数の物品収納部３２、３３は、その背面（右側面）が物品収納棚３１の正面（左側面）の下部に結合されている。前側の物品収納部３２には、テーブル２の右脚部２３の下端部が固定されている。ここでは、本発明と関係する前側の物品収納部３２について以下に詳しく説明する。
【００２０】
図２は、テーブル装置１の物品収納部３２を背面側（右側）から視た状態を示す斜視図である。前側の物品収納部３２は、箱状に形成されている。前側の物品収納部３２は、テーブル２の右脚部２３よりも低く形成されている。前側の物品収納部３２は、物品収納部本体３５と、ケーブル収納部３６と、収納部天板３７と、蓋体３８とを備えている。
なお、構成の理解を容易にするために、以下、ケーブル収納部３６を「ケーブル収納什器３６」として説明する。
【００２１】
物品収納部本体３５は、衣類等の物品を収納するものである。物品収納部本体３５は、物品収納部３２において左側に形成されている。物品収納部本体３５は、筐体３５１と、引き出し３５２（図１参照）とを備える。筐体３５１の上面及び左側面には開口部が形成されている。引き出し３５２は、筐体３５１の左側面の開口部から内部に入れられている。引き出し３５２内には物品が収納される。
【００２２】
ケーブル収納什器３６は、物品収納部３２の右側（背面側）に、仕切り部３５１ａ（筐体３５１の背面部）で上下方向に仕切られることにより矩形体に形成されている。仕切り部３５１ａは、第２上フレーム３６４（後述する）に形成されている。
ケーブル収納什器３６にはケーブルＣ（図３参照）が収納されている。ケーブルＣは、テーブル２に一端が接続されている。ケーブル収納什器３６は、複数のフレームにより箱状に形成されている。ケーブル収納什器３６は、一対の起立フレーム３６１，３６１と、底フレーム３６２と、第１上フレーム３６３と、第２上フレーム３６４（図４も参照）とを備える。
【００２３】
一対の起立フレーム３６１，３６１は、角柱状に形成されている。一対の起立フレーム３６１，３６１は、ケーブル収納什器３６の前後方向に離間して配置されて床面Ｆから起立している。一対の起立フレーム３６１，３６１は、ケーブル収納什器３６の前側部分と後側部分を形成している。一対の起立フレーム３６１，３６１は、左側面が仕切り部３５１ａに結合されている。
底フレーム３６２は、ケーブル収納什器３６の前後方向に延びて形成されている。底フレーム３６２は平板状に形成されている。底フレーム３６２は、一対の起立フレーム３６１，３６１間に横置きに配置されている。底フレーム３６２の前後端は、一対の起立フレーム３６１，３６１の対向している対向面３６１ａ，３６１ａの下部に結合されている。底フレーム３６２の下側には空間Ｓ１が形成されている。
【００２４】
第１上フレーム３６３は、一対の起立フレーム３６１，３６１間で右側に配置されている。第１上フレーム３６３は、前後方向に延びて形成されている。第１上フレーム３６３は平板状に形成されている。第１上フレーム３６３は、縦置きに配置されている。第１上フレーム３６３の前後端は、一対の起立フレーム３６１，３６１の対向している対向面３６１ａ，３６１ａにおいて右側部の上部に結合されている。
第２上フレーム３６４は、一対の起立フレーム３６１，３６１の間で左側に配置されている。第２上フレーム３６４は、前後方向に延びる棒状に形成されている。第２上フレーム３６４は平板状に形成されている。第２上フレーム３６４の前後端は、一対の起立フレーム３６１，３６１の対向面３６１ａ，３６１ａにおいて左側部の上端部に結合されている。
【００２５】
第１上フレーム３６３及び第２上フレーム３６４が、一対の起立フレーム３６１，３６１間に配置されていることにより、ケーブル収納什器３６の上面には開口部３６ａが形成されている。
ケーブル収納什器３６は、テーブル２の右脚部２３の下側部分を開口部３６ａを介して内部３６ｂに収納している。ケーブル収納什器３６は、右脚部２３の下端部２３ｄが固定されている。
【００２６】
図３は、右脚部２３の取付状態を示す斜視図である。右脚部２３の下端部２３ｄには、固定部材２９が溶接等により結合されている。固定部材２９は平板状に形成されている。固定部材２９は前後方向に長く形成されている。固定部材２９の前後方向の中間部分に、右脚部２３の下端部２３ｄが結合されている。固定部材２９の左右側にはフランジ２９ａ，２９ａが上方に折り曲げられて形成されている。
【００２７】
固定部材２９は、ケーブル収納什器３６の底フレーム３６２の上面３６２ａに載せられている。固定部材２９は、底フレーム３６２の上面３６２ａにボルト３０、ナットで上下方向から固定されている。具体的には、固定部材２９の前部及び後部の上面にボルト３０が上方からナットにねじ結合されて、固定部材２９が底フレーム３６２の上面３６２ａに上下方向で固定されている。なお、固定部材２９を底フレーム３６２の上面３６２ａに固定する締結部材はボルトに限定されなくても良く、リベット、溶接等でも良い。
【００２８】
収納部天板３７は、平板状に形成されている。収納部天板３７は、第１収納部天板３７１と、第２収納部天板３７２とから形成されている。第１収納部天板３７１は、物品収納部本体３５の筐体３５１の上面の開口部３５ａを塞いでいる。第２収納部天板３７２は、ケーブル収納什器３６の上面の開口部３６ａにおいて右脚部２３の前側部分３６ｄ（図２も参照）を塞いでいる。収納部天板３７は、この状態で、物品収納部３２の上面に取り付けられている。
【００２９】
蓋体３８は、平板状に形成されている。蓋体３８は、ケーブル収納什器３６の上面の開口部３６ａのうち、右脚部２３の後側部分３６ｃと、右脚部２３の右側部分３６ｅとを塞いでいる。蓋体３８は、この状態で、ケーブル収納什器３６の上面に着脱可能に取り付けられている。上面の開口部３６ａの右脚部２３の後側部分３６ｃは、ケーブル収納什器３６に収納されているケーブルを外部に出すためのケーブル用開口部として利用される。
ケーブル収納什器３６の第１上フレーム３６３において右脚部２３の後側には、蓋体３８を支持する支持部材４０が取り付けられている。ケーブル収納什器３６の上面には、右脚部２３を囲んで第２収納部天板３７２と蓋体３８とが配置されることにより、開口部３６ａにおいて右脚部２３が貫通する部分には貫通口３６ｆが形成されている。
【００３０】
図４は、図２のＡ部を示す斜視図である。右脚部２３の左側面２３ｃは、ケーブル収納什器３６の第２上フレーム３６４に当接している。ケーブル収納什器３６の左右方向の長さ３６Ｌは、右脚部２３の左右方向の長さ２３Ｌよりも大きく設定されている。これにより右脚部２３の右側面２３ａとケーブル収納什器３６の第１上フレーム３６３の右内側面３６３ａとの間には、隙間Ｓ２が形成されている。隙間Ｓ２には、スペーサ４が挟まれている。ここで図２に示すようにケーブル収納什器３６は、右脚部２３よりも低く形成されている。スペーサ４は、ケーブル収納什器３６の上部（高さの半分よりも上の位置）に配置されている。
【００３１】
図５は、スペーサ４を右脚部２３側から視た状態を示す斜視図である。スペーサ４は、一枚の平板が折り曲げられて形成されている。スペーサ４は、平面部４１と、一対の脚部４２，４２とを備えている。一対の脚部４２，４２は、平面部４１の前後端から下方へ延びて設けられている。一対の脚部４２，４２の下端部４２ａ，４２ａは、対向するようにして水平に折り曲げられている。平面部４１の左右側には、一対のフランジ４３，４４が下方に折り曲げられて形成されている。左側のフランジ４３の前後端部には、一対の当接部４５，４５が設けられている。
【００３２】
スペーサ４は、一対の脚部４２，４２の下端部４２ａ，４２ａの下面が、後述する一対の保持部材５，５（図６参照）のうち右側の保持部材５に上方から当接している。この状態で右側のフランジ４４は、第１上フレーム３６３の右内側面３６３ａに当接して固定されている。これによりスペーサ４はケーブル収納什器３６に固定されている。
なお、スペーサ４は、右脚部２３の右側面２３ａ（図４参照）に固定することも可能である。
【００３３】
図４に示すように、一対の当接部４５，４５は、右脚部２３の右側面２３ａのうち両角部２３ｂ，２３ｂに当接されている。スペーサ４は、一対の当接部４５，４５を介して右脚部２３の右側面２３ａに接触されている。両角部２３ｂ，２３ｂは、Ｖ字状に折り曲げられることにより、右脚部２３の右側面２３ａ等の平坦部分よりも強度が高く形成されている。
両角部２３ｂ，２３ｂは、一対の当接部４５，４５に対向する右側面２３ａのうち、角部の稜線部（すなわち、角部の頂部）を含み、かつ、右脚部２３の後面２３ｆ、前面２３ｅの板厚部を含む部位である。
【００３４】
図６は、ケーブル収納什器３６の内部３６ｂを示す斜視図である。ケーブル収納什器３６の内部には、一対の保持部材５，５と、ケーブル受け部材６とが設けられている。
一対の保持部材５，５は、一対の起立フレーム３６１，３６１間の左右側に配置されている。一対の保持部材５，５は、前後方向に延びて形成されている。一対の保持部材５，５は、断面が矩形の棒状に形成されている。一対の保持部材５，５は、前後端が一対の起立フレーム３６１，３６１の対向面３６１ａ，３６１ａに結合されている。
【００３５】
ケーブル受け部材６には、ケーブルＣが載せられる。ケーブル受け部材６は、ケーブル収納什器３６の上面までの高さ６Ｌが、天板２１の上方向への最大移動距離２１Ｌよりも大きくなる高さ位置に配置されている。ケーブル受け部材６は、右脚部２３の後側において一対の保持部材５，５に保持されている。
ケーブル受け部材６は、一枚の平板が折り曲げられて形成されている。ケーブル受け部材６は、平面視で矩形状に形成されている。ケーブル受け部材６は、平面部６１と、平面部６１の前後端に起立した一対の起立部６２，６２とを備えている。平面部６１は平板状に形成されている。平面部６１の上面にはケーブルＣが載せられる。平面部６１の左右側部には、一対のフランジ６３，６３が下方に折り曲げられて形成されている。
一対の起立部６２，６２のうち、右脚部２３から離れた側の起立部６２（以下、後起立部６２という）が、後側の起立フレーム３６１の対向面３６１ａに接触されている。
【００３６】
図７は、ケーブル受け部材６が一対の保持部材５，５に保持された状態を示す断面図である。ケーブル受け部材６は、一対のフランジ６３，６３で一対の保持部材５，５に係止されている。これにより、ケーブル受け部材６の左右側部（すなわち、両側部）６ｂが一対の保持部材５，５に、上方に移動可能に保持されている。
【００３７】
図３に示すようにケーブル受け部材６の前端部６ａには、取付け部材７が固定されている。取付け部材７には、ケーブル保護部材８の他端８ｃが取り付けられている。ケーブル保護部材８は、複数の駒８１がピン８２で鎖状に連結されることにより、複数のピン８２を支点にして変形可能に形成されている。
ケーブル保護部材８の内部にはケーブルＣが通され、ケーブルＣがケーブル保護部材８で保護される。ケーブル保護部材８として、例えばケーブルベア（登録商標）が挙げられる。
【００３８】
ケーブル保護部材８は、天板２１（図６参照）から右脚部２３の後面２３ｆに沿ってケーブル収納什器３６の上面の貫通口３６ｆを貫通してケーブル収納什器３６の内部３６ｂに配置されている。具体的には、ケーブル保護部材８は、ケーブル受け部材６と右脚部２３との間で、且つ、一対の保持部材５，５間において前後方向で対向するようにＪ字状に曲げられて配置されている。ケーブル保護部材８の一端は天板２１に連結され、他端はケーブル受け部材６に連結している。ケーブル保護部材８の内部には、ケーブルＣのうち天板２１とケーブル受け部材６との間の部位が配索されている。
【００３９】
ケーブルＣは、一端が天板２１のコンセントに接続されている。ケーブルＣは、ケーブル保護部材８の内部を通りケーブル収納什器３６の内部で下方にＪ字状に曲げられ、ケーブル保護部材８を通してケーブル受け部材６の上面に載せられる。ケーブル受け部材６の上面から延びたケーブルＣの他端側は電源に接続されている。
【００４０】
次に、図８、図９を用いて、天板２１が上方に移動するときのケーブル保護部材８、ケーブル受け部材６及びケーブルＣの動きを説明する。
図８は、本発明の第１の実施形態に係るテーブル装置１において天板２１の上方への移動に合わせてケーブル保護部材８が円滑に作動する状態を説明する概略図である。図９は、本発明の第１の実施形態に係るテーブル装置１において天板２１の上方への移動に合わせてケーブル保護部材８が円滑に作動し難い状態を説明する概略図である。
【００４１】
図８（ａ）において、ケーブル保護部材８が正常に変形可能な場合を示す。ケーブル保護部材８は、天板２１が上方に矢印Ａの如く移動するときに、ケーブル保護部材８の一端８ａ側が上方に引っ張られる。
図８（ｂ）において、ケーブル保護部材８が変形することにより、ケーブル保護部材８の下端８ｂが上方に移動する。よって、ケーブル保護部材８の他端８ｃが静止した状態において、ケーブルＣの一端側も持ち上げることができる。
【００４２】
図９（ａ）において、ケーブル保護部材８が円滑に変形し難い場合を示す。ケーブル保護部材８が円滑に変形し難くなる要因として、ケーブルＣの撚れや粉塵のかみ込が考えられる。
天板２１が矢印Ａの如く上方に移動するときに、ケーブル保護部材８の一端８ａ側が上方に引っ張られる。ここで、ケーブル保護部材８が円滑に変形し難い場合、ケーブル保護部材８の全体が上方に引っ張られる。
【００４３】
図９（ｂ）において、ケーブル保護部材８の他端８ｃに連結されているケーブル受け部材６の前端部６ａに上方への引っ張り力が伝わる。
ここで、ケーブル受け部材６の後起立部６２が後側の起立フレーム３６１の対向面３６１ａに接触されている。よって、後起立部６２が後方へ移動することを対向面３６１ａで制限できる。これにより、ケーブル受け部材６の後起立部６２を支点として、ケーブル保護部材８の他端８ｃとケーブル受け部材６の前端部６ａとを一緒に持ち上げることができる。これに伴いケーブルＣも持ち上げることができる。
さらに、ケーブル保護部材８の他端８ｃにケーブル受け部材６の前端部６ａが連結されている。よって、ケーブル受け部材６の全体を持ち上げる必要がない。これにより、ケーブル受け部材６の前端部６ａを、ケーブル保護部材８の他端８ｃに追従させて小さな力で持ち上げることができる。
これにより、ケーブルＣに比較的大きな力が作用することを抑えることができ、ケーブルＣを良好に保護できる。
【００４４】
以上説明したように、第１の実施形態の収納什器３は、図３、図６に示すように、ケーブル収納部（ケーブル収納什器）３６、ケーブル受け部材６、及びケーブル保護部材８を備える。ケーブル収納什器３６は、ケーブル保護部材８の上方で上下方向に移動可能に配置された天板（移動部）２１まで一端が取り出されるケーブルＣを内部３６ｂに収納する。ケーブル受け部材６は、ケーブル収納什器３６の内部３６ｂで持ち上げ可能に配置される。ケーブル受け部材６にケーブルＣが載せられる。ケーブル保護部材８は変形可能に形成されている。
ケーブル保護部材８は、ケーブル収納什器３６の上面を貫通してケーブル収納什器３６の内部３６ｂで下方にＪ字状に曲げられている。ケーブル保護部材８の一端は天板２１に連結され、他端がケーブル受け部材６に連結されている。ケーブル保護部材８の内部には、天板２１とケーブル受け部材６との間のケーブルＣが配索されている。
【００４５】
これにより、ケーブル保護部材８が変形し難い場合に、天板２１の上方への移動により、ケーブル保護部材８が上方に引っ張られると、ケーブル保護部材８と一緒にケーブル受け部材６が持ち上げられる。これに伴いケーブルＣも持ち上げられる。よって、ケーブル保護部材８からケーブルＣに比較的大きな力が加わることが抑制される。これにより、収納什器３は、ケーブル保護部材８が変形し難い場合でもケーブルＣに比較的大きな力が加わることを防ぐことができる。
【００４６】
また、ケーブル受け部材６は、ケーブル収納什器３６の上面までの高さ６Ｌが、天板２１の上方向への最大移動距離２１Ｌよりも大きくなる高さ位置に配置されている。これにより、天板２１が最大移動距離２１Ｌ持ち上げられた場合に、ケーブル収納什器３６の上面にケーブル受け部材６が当たることを防止できる。
さらに、ケーブル受け部材６は、一枚の平板が折り曲げられて形成されている。これにより、部品点数が最小限に抑えられ、ケーブル受け部材６の製造コストが抑えられる。
加えて、ケーブル受け部材６の上方には、ケーブル用開口部３６ｇが形成されている。これにより、ケーブル受け部材６に載せられているケーブルＣを、ケーブル用開口部３６ｇから上方へ取り出すことが可能になる。よって、ケーブルＣの取り出し作業を容易に行うことができる。
【００４７】
また、ケーブル受け部材６は、平面視において、ケーブル保護部材８の一端８ａに近い側の端（すなわち、前端）６ａに、ケーブル保護部材８の他端８ｃが連結されている。換言すれば、ケーブル受け部材６は、右脚部２３に近い側の端（すなわち、前端）６ａに、ケーブル保護部材８の他端８ｃが連結されている。
これにより、天板２１が上方に移動するときに天板２１がケーブル保護部材８を引っ張る力がケーブル受け部材６に迅速に伝わる。
【００４８】
ここで、ケーブル受け部材６の後起立部６２が後側の起立フレーム３６１の対向面３６１ａに接触されている。よって、後起立部６２が後方へ移動することを対向面３６１ａで制限できる。これにより、ケーブル受け部材６の後起立部６２を支点として、ケーブル保護部材８とケーブル受け部材６とが迅速に持ち上げられる（図９（ｂ）参照）。これに伴いケーブルＣも迅速に持ち上げられる。
さらに、ケーブル保護部材８の他端８ｃにケーブル受け部材６の前端部６ａが連結されている。よって、ケーブル受け部材６の前端部６ａを、ケーブル保護部材８の他端８ｃに追従させて小さな力で持ち上げることができる。
これにより、ケーブル保護部材８からケーブルＣに比較的大きな力が加わることを抑えることができる。よって、ケーブル保護部材８が変形し難い場合でもケーブルＣを一層良好に保護できる。
【００４９】
さらに、ケーブル受け部材６の左右側（両側）が一対の保持部材５，５で保持される。これにより、ケーブル受け部材６が安定して配置される。よって、ケーブル受け部材６に持上力が作用した場合に、ケーブル受け部材６を安定支持したまま持ち上げることができる。これに伴いケーブルＣも容易に持ち上げられる。
これにより、ケーブル保護部材８からケーブルＣに比較的大きな力が加わるのが一層抑制される。よって、ケーブル保護部材８が変形し難い場合でもケーブルＣを良好に保護できる。
【００５０】
加えて、電動昇降式のテーブル２の天板２１が移動部である。この場合に、ケーブル保護部材８が変形し難い場合でも、天板２１が上方に移動するときに、ケーブル保護部材８と一緒にケーブル受け部材６が持ち上げられる。これに伴いケーブルＣも持ち上げられる。
これにより、ケーブル保護部材８からケーブルＣに比較的大きな力が加わることが抑えられる。よって、ケーブル保護部材８が変形し難い場合でも、昇降型のテーブル２の天板２１の際に、ケーブルＣを良好に保護できる。
【００５１】
次に、第２の実施形態を図１０に基づいて説明する。なお、第２の実施形態において、第１の実施形態と同一、類似の部材については同じ符号を付して詳しい説明を省略する。
【００５２】
（第２の実施形態）
図１０は、本発明の第２の実施形態のテーブル装置３０１を示す斜視図である。第２の実施形態のテーブル装置３０１は、テーブル２と、テーブル２に隣接する什器３０３とを備えている。第１の実施形態では、ケーブル収納什器３６に右脚部２３を収納した例について説明したが、脚部２２，２３は什器３０３に収納されなくても良い。
【００５３】
また、脚部２２，２３は、双方とも床面Ｆに接地されても良い。さらに、一対の脚部２２，２３とケーブル保護部材８との位置関係は特に限定されない。第１の実施形態の収納什器３では、ケーブル保護部材８が右脚部２３と隣接して配置されていたが、ケーブル保護部材８が一対の脚部２２，２３と離れて配置されていても良い。
第１の実施形態のテーブル装置３０１においても、ケーブル保護部材８が円滑に変形し難い場合、ケーブル保護部材８に連結されているケーブル受け部材６を持ち上げることができる。これにより、第１の実施形態と同様の効果が得られる。
【００５４】
以上、図面を参照して、本発明の実施形態を詳述してきたが、具体的な構成は、この実施形態に限らず、本発明の要旨を逸脱しない程度の設計的変更は、本発明に含まれる。
例えば、実施形態のテーブル装置１では、テーブルが電動昇降式のテーブル２の場合について説明したが、天板が昇降しないテーブルであっても良い。
【００５５】
また、実施形態では、電動昇降式のテーブル２の天板２１を移動部として説明したが、その他に移動部として、例えば昇降可能なモニタースタンド等に本発明を適用させることも可能である。
【００５６】
さらに、実施形態では、ケーブル受け部材６を一対の保持部材５，５に載せてケーブル受け部材６が持ち上がるようにした。その他の方法としては、ケーブル受け部材６のうち、ケーブル保護部材８の連結側と反対の端部をケーブル収納什器３６に上下方向に回動可能に取り付けることも可能である。これにより、ケーブル保護部材８の反対の端部を支点にして、ケーブル保護部材８の連結側の端部を持ち上げることが可能である。
また、ケーブル受け部材６を吊り下げた状態に保持することも可能である。
【００５７】
さらに、実施形態では、テーブル２の一対の脚部２２，２３を天板２１の両側に設けた例について説明したが、その他の例としては、テーブル２に複数の脚部を備えることも可能である。
また、第１脚部として右脚部２３をケーブル収納什器３６に収納させた例について説明したが、その他の例としては、複数の脚部をケーブル収納什器３６に収納させることも可能である。
【符号の説明】
【００５８】
１，１０１，２０１，３０１  テーブル装置
２      テーブル
３      収納什器
６      ケーブル受け部材
６ａ    前端部（ケーブル保護部材の一端に近い側の端部）
６ｂ    ケーブル受け部材の左右側部（両側部）
８      ケーブル保護部材
８ａ    ケーブル保護部材の一端
８ｃ    ケーブル保護部材の他端
２１    天板（移動部）
３６    ケーブル収納什器（ケーブル収納部）
３６ｂ  ケーブル収納什器の内部
Ｃ      ケーブル
【図１】
2018068958.tif 000003
【図２】
2018068958.tif 000004
【図３】
2018068958.tif 000005
【図４】
2018068958.tif 000006
【図５】
2018068958.tif 000007
【図６】
2018068958.tif 000008
【図７】
2018068958.tif 000009
【図８】
2018068958.tif 000010
【図９】
2018068958.tif 000011
【図１０】
2018068958.tif 000012